(57)【要約】【課題】前後面保守式の受配電設備において、降雨などの天候に左右されることなく保守点検が行える構造を得る。【解決手段】開閉自在の前面扉２と後面扉３とを有する箱体１と、箱体１の天井側に設けられた換気口を有する第１の屋根室４と、第１の屋根室４の外側に設けられた第２の屋根室５と、第２の屋根室５の前面扉２側に設けられた前後方向に出し入れ自在の前面側スライド板７と、第２の屋根室５の後面扉３側に設けられた前後方向に出し入れ自在の後面側スライド板８と、を備えたことを特徴とする。【選択図】  図１
2014183605.tif 000002
【特許請求の範囲】
【請求項１】
前面扉と後面扉とを有する箱体と、
前記箱体の天井側に設けられた換気口を有する第１の屋根室と、
前記第１の屋根室の外側に設けられた第２の屋根室と、
前記第２の屋根室の前記前面扉側に設けられた前後方向に出し入れ自在の前面側スライド板と、
前記第２の屋根室の前記後面扉側に設けられた前後方向に出し入れ自在の後面側スライド板と、
を備えたことを特徴とする屋外形受配電設備。
【請求項２】
前記前面側スライド板を、第１の前面側スライド板と蝶番で連結された第２の前面側スライド板とで構成し、
前記後面側スライド板を、第１の後面側スライド板と蝶番で連結された第２の後面側スライド板とで構成したことを特徴とする請求項１に記載の屋外形受配電設備。
【請求項３】
前記前面側スライド板、前記後面側スライド板をアルミ板としたことを特徴とする請求項１または請求項２に記載の引出形受配電設備。
【発明の詳細な説明】
【技術分野】
【０００１】
本発明の実施形態は、降雨時の保守点検作業を改善する屋外形受配電設備に関する。
【背景技術】
【０００２】
従来、前面保守式の閉鎖配電盤を点検通路を挟んで向かい合わせて配置し、向かい合った閉鎖配電盤を一括して天井板で覆い、降雨などの天候に左右されることなく保守点検が行えるものが知られている（例えば、特許文献１参照。）。
【０００３】
しかしながら、前後面保守式では対応することが困難であり、後面側に、例えばテントやシートを張るなどして降雨対策を行わなければならなかった。テントやシートでは、水はけが悪かったり、風に煽られ易い。このため、前後面保守式の受配電設備においても、天候に左右されることなく保守点検が行えるものが望まれていた。
【先行技術文献】
【特許文献】
【０００４】
【特許文献１】特開平５−３００６１１号公報
【発明の概要】
【発明が解決しようとする課題】
【０００５】
本発明が解決しようとする課題は、前後面保守式の受配電設備においても、天候に左右されることなく容易に保守点検が行える屋外形受配電設備を提供することにある。
【課題を解決するための手段】
【０００６】
上記課題を解決するために、実施形態の屋外形受配電設備は、前面扉と後面扉とを有する箱体と、前記箱体の天井側に設けられた換気口を有する第１の屋根室と、前記第１の屋根室の外側に設けられた第２の屋根室と、前記第２の屋根室の前記前面扉側に設けられた前後方向に出し入れ自在の前面側スライド板と、前記第２の屋根室の前記後面扉側に設けられた前後方向に出し入れ自在の後面側スライド板と、を備えたことを特徴とする。
【図面の簡単な説明】
【０００７】
【図１】本発明の実施例１に係る屋外形受配電設備の構成を一部断面して示す側面図。
【図２】本発明の実施例１に係る屋外形受配電設備の防雨操作を説明する図。
【図３】本発明の実施例２に係る屋外形受配電設備の構成を一部断面して示す側面図。
【図４】本発明の実施例２に係る屋外形受配電設備の防雨操作を説明する図。
【発明を実施するための形態】
【０００８】
以下、図面を参照して本発明の実施例を説明する。
【実施例１】
【０００９】
先ず、本発明の実施例１に係る屋外形受配電設備を図１、図２を参照して説明する。図１は、本発明の実施例１に係る屋外形受配電設備の構成を一部断面して示す側面図、図２は、本発明の実施例１に係る屋外形受配電設備の防雨操作を説明する図である。
【００１０】
図１に示すように、遮断器などを収納した箱体１には、前面側に開閉自在の前面扉２、後面側にも開閉自在の後面扉３が設けられている。天井側には、換気口などを有する第１の屋根室４が固定されており、第１の屋根室４の外側となる図示上方に降雨対策を行う第２の屋根室５が設けられている。第２の屋根室５の前面側、後面側は、それぞれ開口部を持っている。
【００１１】
第２の屋根室５には、箱体１の前後方向の中間部に設けた支え板６を境に、前面側には前後方向に出し入れ自在の前面側スライド板７、後面側にも前後方向に出し入れ自在の後面側スライド板８が設けられている。最上部には、傾斜した屋根板９が設けられている。前面側、後面側スライド板７、８のスライド面には、脱落を防止する前面側、後面側ストッパー１０、１１が設けられている。ストッパー１０、１１は、前面側、後面側スライド板７、８端部をＬ字状に曲折しておき、これを箱体１側に固定されたピンに係止させるようなものでよい。なお、箱体１は、チャンネルベース１２に固定されている。
【００１２】
前面側、後面側スライド板７、８は、箱体１の幅とほぼ同様の幅を持ち、屋根板９の前後方向のほぼ半分の長さを持っている。材質は、金属では鋼板でもよいが、アルミ板のような軽量化されたものがよく、また、プラスチック板でもよい。
【００１３】
次に、前面側、後面側スライド板７、８の操作について図２を参照して説明する。
【００１４】
図２に示すように、前面側スライド板７では、図示しない前面側端部に設けた把手を持って前面側の開口部から引出し、前面側ストッパー１０に係止させる。後面側スライド板８も同様に、図示しない把手を持って後面側の開口部から引出し、後面側ストッパー１１に係止させる。これにより、前面扉２、後面扉３を開放したときのエリア上方が前面側、後面側スライド板７、８で覆われることになる。収納時には、前面側、後面側ストッパー１０、１１から外し、第２の屋根室５に収納する。収納後は、図示しない防塵板などで開口部を塞いでもよい。
【００１５】
上記実施例１の屋外形受配電設備によれば、第２の屋根室５に前面側、後面側スライド板７、８を収納し、それぞれを引出すと、前面扉２、後面扉３の上を覆うことができるので、降雨などの天候に左右されることなく保守点検作業を行うことができる。
【実施例２】
【００１６】
次に、本発明の実施例２に係る屋外形受配電設備を図３、図４を参照して説明する。図３は、本発明の実施例２に係る屋外形受配電設備の構成を一部断面して示す側面図、図４は、本発明の実施例２に係る屋外形受配電設備の防雨操作を説明する図である。なお、この実施例２が実施例１と異なる点は、スライド板を折りたたみにしたことである。図３、図４において、実施例１と同様の構成部分においては、同一符号を付し、その詳細な説明を省略する。
【００１７】
図３に示すように、前面側スライド板１３は、第１の前面側スライド板１３ａと、第１の前面側スライド板１３ａに図示しない蝶番で連結された第２の前面側スライド板１３ｂで構成されている。第２の前面側スライド板１３ｂは、第１の前面側スライド板１３ａよりも前後方向の長さが短く、上側に連結されている。後面側スライド板１４も、第１の後面側スライド板１４ａと、第１の後面側スライド板１４ａに図示しない蝶番で連結された第２の後面側スライド板１４ｂで構成されている。第２の後面側スライド板１４ｂは、第１の後面側スライド板１４ａよりも長さが短く、上側に連結されている。
【００１８】
次に、前面側、後面側スライド板１３、１４の操作について図４を参照して説明する。
【００１９】
図４に示すように、前面側スライド板１３では、折りたたみ部に設けてある図示しない把手を持って前面側に引出し、第１の前面側スライド板１３ａの端部を前面側ストッパー１０に係止させる。次に、第２の前面側スライド板１３ｂを反時計方向に回動させ、垂らす状態にする。後面側スライド板８も同様に、図示しない把手を持って後面側に引出し、第１の後面側スライド板１４ａの端部を後面側ストッパー１１に係止させる。次に、第２の後面側スライド板１４ｂを時計方向に回動させ、垂らす状態にする。収納時には、前面側、後面側ストッパー１０、１１から外し、第２の前面側スライド板１３ｂ、第２の後面側スライド板１４ｂを元に戻し、第２の屋根室５に収納する。
【００２０】
上記実施例２の屋外形受配電設備によれば、実施例１による効果のほかに、横雨時などに防雨効果を出すことができる。
【００２１】
以上述べたような実施形態によれば、降雨時においても容易に保守点検が行えるようになる。
【００２２】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、および変更を行うことができる。これら実施形態やその変形は、発明の範囲や要旨に含まれるとともに、特許請求の範囲に記載された発明とその均等の範囲に含まれる。
【符号の説明】
【００２３】
１  箱体
２  前面扉
３  後面扉
４  第１の屋根室
５  第２の屋根室
７、１３  前面側スライド板
８、１４  後面側スライド板
【図１】
2014183605.tif 000003
【図２】
2014183605.tif 000004
【図３】
2014183605.tif 000005
【図４】
2014183605.tif 000006